(57)【要約】【課題】落書き防止に貢献することができる落書き通報装置を提供する。【解決手段】落書き行為の開始を検出して予め定められた通報先に通報する落書き通報装置であって、前記落書き行為を監視する監視領域に侵入する侵入者を検出する侵入検出手段１７と、前記侵入検出手段１７の検出に応じて前記監視領域における塗料の噴出を検出する噴出検出手段１３と、前記噴出検出手段１３が前記噴出を検出した際に、前記落書き行為の開始を通報する通報情報を、当該検出した前記監視領域の識別が可能なように生成する通報情報生成手段１１ａと、前記通報情報生成手段１１ａが生成した通報情報を前記通報先に送信する送信手段１４ａと、を備えることを特徴とする。【選択図】      図１
2005011006.tif 000002
【特許請求の範囲】
【請求項１】
落書き行為の開始を検出して予め定められた通報先に通報する落書き通報装置であって、
前記落書き行為を監視する監視領域に侵入する侵入者を検出する侵入検出手段と、
前記侵入検出手段の検出に応じて前記監視領域における塗料の噴出を検出する噴出検出手段と、
前記噴出検出手段が前記噴出を検出した際に、前記落書き行為の開始を通報する通報情報を、当該検出した前記監視領域の識別が可能なように生成する通報情報生成手段と、
前記通報情報生成手段が生成した通報情報を前記通報先に送信する送信手段と、
を備えることを特徴とする落書き通報装置。
【請求項２】
前記送信手段が送信した前記通報情報に対応して発生した前記落書き行為を音声により警告するための警告音声情報を受信する受信手段と、
前記受信手段が受信した前記警告音声情報に基づいた音声により前記侵入者への警告を行う警告手段と、
をさらに備えることを特徴とする請求項１に記載の落書き通報装置。
【請求項３】
前記侵入検出手段の検出に応じて、若しくは、前記噴出検出手段の検出に応じて、前記監視領域に侵入した前記侵入者を撮像する撮像手段と、
前記撮像手段が撮像した画像情報を、前記通報情報生成手段が生成した通報情報に関連付けて記憶する画像情報記憶手段と、
をさらに備えることを特徴とする請求項１又は２に記載の落書き通報装置。
【請求項４】
請求項１〜３の何れかに記載の落書き通報装置と、複数の前記落書き通報装置を管理する管理装置とを備え、前記落書き行為の開始を監視する落書き監視システムであって、
前記管理装置は、
前記落書き通報装置が送信した前記通報情報を受信する管理側受信手段と、
前記管理側受信手段が受信した前記通報情報に基づいて、前記落書き行為の開始を検出した前記監視領域を通知する通知手段と、
を備える
ことを特徴とする落書き監視システム。
【請求項５】
前記通知手段は、前記管理側受信手段が受信した前記通報情報の送信元を、前記落書き行為を音声により警告するための前記警告音声情報の送信先として識別が可能なように前記通知を行い、
前記管理装置の前記通知手段によって通知された前記送信先に、該通知に応じて発生した前記警告音声情報を送信する警告音声情報送信装置をさらに備える
ことを特徴とする請求項４に記載の落書き監視システム。
【請求項６】
前記落書き通報装置の送信手段はさらに、前記通報情報に関連付けられて前記画像情報記憶手段に記憶している前記画像情報を送信し、
前記管理装置の管理側受信手段はさらに、前記通報情報に関連付けられた前記画像情報を受信し、
前記通知手段はさらに、前記管理側受信手段が受信した前記画像情報の視認が可能なように前記通知を行う
ことを特徴とする請求項４又は５に記載の落書き監視システム。
【発明の詳細な説明】
【０００１】
【発明の属する技術分野】
本発明は、落書き通報装置及び落書き監視システムに関し、より詳細には、落書きの開始を検出して予め定められた通報先に通報する落書き通報装置、及び、落書き通報装置を備えて落書き行為の開始を監視する落書き監視システムに関するものである。
【０００２】
【従来の技術】
従来より道路や鉄道などが立体交差するガード下や歩道橋の壁、公衆トイレなどの公共施設がスプレーなどで落書きされるという問題が生じていた。これらの落書きは、子供の悪戯とは違い、その多くは成人がスプレー缶等を使い、深夜から早朝の短時間に行われることが多く、発見が容易ではないため、防止することが困難であった。そして、近年では落書きの被害が、商店街の壁やシャッター、住宅のブロック塀や壁などにも及んでおり、単なる悪戯としては放置できない問題となっている。
【０００３】
従来の悪戯対策を施す装置としては、特許文献１に示す検知装置が提案されている。この検知装置は、発光素子からの光を光導体の肉厚内部を伝播させ、受光素子によって受光させる。そして、悪戯によって透過窓にスプレーによる塗料が塗布されたりすると、光導体の外面も塗布されるので、光導体の外面を通って外に放射される光の量が増減し、受光素子の受光量が変化することから、この受光量の変化によって悪戯を検出するものである。この検知装置によれば、発光素子及び受光素子を、透過窓の外側に設ける必要がなくなることから、悪戯対策を施した検知装置か否かが外観からわかり難い構造となっている。
【０００４】
また、落書きの除去を簡単な作業で行うことを可能とする落書き対策用の構造体に関する提案が特許文献２に開示されている。この構造体の特徴としては、例えば、構造ぶ構造物の基材の表面に形成されたプライマー層と、該プライマー層の表面に形成された表面層と、該表面層の表面に形成された可剥離層とで構成している。そして、表面層が半硬化状態のときに、可剥離性塗料が塗布されて可剥離層が形成されるため、表面層の表面に落書きをすることができず、可剥離層の表面にしか落書きをすることができないことから、仮に可剥離層の表面に落書きが形成されたとしても、可剥離層を表面層から剥離することで落書きを除去することを可能としている。
【０００５】
【特許文献１】
特開２０００−１１１６５６号公報  （第３頁、第１図）
【特許文献２】
特開２００３−１１２６１号公報  （第３−４頁、第５図）
【０００６】
【発明が解決しようとする課題】
しかしながら、上述した従来の落書き対策では、透過窓に塗料が塗布されないと落書きを検知することができず、壁やシャッターなどの広範囲の監視には適していなかった。また、落書き対策用の構造体を壁などに設けることで、落書きを消すことは可能となるが、落書きの防止には繋がらない。また、夜間に人などの熱源が近づいたことを赤外線センサで検知したときに照明ランプを点灯する照明装置が公知であるが、このような照明装置によって照明されると、明るい中で喜んで素早く落書きをして逃げてしまうため、落書きの防止に利用することはできない。さらに、熱源の接近だけでは落書き行為とは特定できないため、落書き行為の開始を正確に検出することはできない。
【０００７】
また、落書きを放置しておくと、落書きの被害が増加するため、如何に落書きを防止するかが問題であり、上述した装置等では問題の解決には有効ではなかった。そのため、落書き防止のために、警察と協力して住人等が徹夜でパトロールを行ったり、落書き消し活動を行うしかなかった。しかしながら、パトロールにも限界があり、落書き防止に有効な装置が望まれていた。
【０００８】
よって本発明は、上述した問題点に鑑み、落書き防止に貢献することができる落書き通報装置及び落書き監視システムを提供することを課題としている。
【０００９】
【課題を解決するための手段】
上記課題を解決するため本発明によりなされた請求項１記載の落書き通報装置は、図１の基本構成図に示すように、落書き行為の開始を検出して予め定められた通報先に通報する落書き通報装置であって、前記落書き行為を監視する監視領域に侵入する侵入者を検出する侵入検出手段１７と、前記侵入検出手段１７の検出に応じて前記監視領域における塗料の噴出を検出する噴出検出手段１３と、前記噴出検出手段１３が前記噴出を検出した際に、前記落書き行為の開始を通報する通報情報を、当該検出した前記監視領域の識別が可能なように生成する通報情報生成手段１１ａと、前記通報情報生成手段１１ａが生成した通報情報を前記通報先に送信する送信手段１４ａと、を備えることを特徴とする。
【００１０】
上記請求項１に記載した本発明の落書き通報装置によれば、監視領域に侵入する侵入者が侵入検出手段１７によって検出され、その監視領域で塗料の噴出が噴出検出手段１３によって検出されると、落書き行為の開始を通報する通報情報が通報情報生成手段１１ａによって生成され、この通報情報は送信手段１４ａによって通報先に送信される。よって、落書き行為を監視する監視領域への侵入者の侵入を検出し、この侵入検出後に塗料の噴出を検出した際に、落書き行為が開始されたものと判定するので、落書き行為の開始を正確に検出することができる。そして、落書き行為の開始を検出すると、通報情報を通報先に送信することから、通報先では通報情報に基づいて速やかに落書き行為を犯した犯人の取り締まり、警察への通報等を行うことができるため、落書き防止に貢献することができる。従って、落書き通報装置からの通報に応じて適切な対処を行うことができるため、徹夜でパトロールを行う必要がなくなり、落書き行為が多発している地域関係者の負担を軽減することができる。
【００１１】
上記課題を解決するためになされた請求項２記載の発明は、図１の基本構成図に示すように、請求項１に記載の落書き通報装置において、前記送信手段１４が送信した前記通報情報に対応して発生した前記落書き行為を音声により警告するための警告音声情報を受信する受信手段１４ｂと、前記受信手段１４ｂが受信した前記警告音声情報に基づいた音声により前記侵入者への警告を行う警告手段１５と、をさらに備えることを特徴とする。
【００１２】
上記請求項２に記載した本発明の落書き通報装置によれば、送信手段１４によって送信された通報情報に対応して警告音声情報が通報先等で発生すると、この警告音声情報は受信手段１４ｂによって受信され、この警告音声情報に基づいた音声により侵入者への警告が警告手段１５によって行われる。よって、送信した通報情報に対応して発生した警告音声情報を受信し、この警告音声情報に基づいて音声による警告を監視領域に侵入した侵入者に対して行うことができるため、落書き行為を速やかに止めさせることが期待でき、より一層の落書き防止に貢献することができる。
【００１３】
上記課題を解決するためになされた請求項３記載の発明は、図１の基本構成図に示すように、請求項１又は２に記載の落書き通報装置において、前記侵入検出手段１７の検出に応じて、若しくは、前記噴出検出手段１３の検出に応じて、前記監視領域に侵入した前記侵入者を撮像する撮像手段１６と、前記撮像手段１６が撮像した画像情報を、前記通報情報生成手段１１ａが生成した通報情報に関連付けて記憶する画像情報記憶手段１２と、をさらに備えることを特徴とする。
【００１４】
上記請求項３に記載した本発明の落書き通報装置によれば、侵入検出手段１７によって監視領域に侵入する侵入者が検出される、若しくは、噴出検出手段１３によって監視領域における塗料の噴出が検出されると、監視領域に侵入した侵入者が撮像手段１６によって撮像され、その画像情報は通報情報生成手段１１ａによって生成された通報情報に関連付けられて画像情報記憶手段１２に記憶される。よって、侵入者が監視領域に侵入したことを検出する、若しくは、監視領域に侵入した侵入者が塗料を噴出したことを検出すると、その侵入者を撮像した画像情報を記憶するので、その画像情報を落書き行為の証拠に用いたり、犯人の捜索に用いることができることから、落書き防止の抑止力となり、より一層の落書き防止に貢献することができる。特に、侵入者が監視領域に侵入したことを検出した時点で撮像すれば、撮像手段１６のレンズがスプレー等で汚される前に画像情報を記憶することができるため、画像情報を落書き行為の証拠として確実に残すことができることから、その画像情報から犯人の特定を確実に特定することができる。
【００１５】
上記課題を解決するため本発明によりなされた請求項４記載の落書き監視システムは、図１の基本構成図に示すように、請求項１〜３の何れかに記載の落書き通報装置１と、複数の前記落書き通報装置を管理する管理装置５とを備え、前記落書き行為の開始を監視する落書き監視システムであって、前記管理装置５は、前記落書き通報装置１が送信した前記通報情報を受信する管理側受信手段５４と、前記管理側受信手段５４が受信した前記通報情報に基づいて、前記落書き行為の開始を検出した前記監視領域を通知する通知手段５２と、を備えることを特徴とする。
【００１６】
上記請求項４に記載した本発明の落書き監視システムによれば、管理装置５において、落書き通報装置１が送信した通報情報が管理側受信手段５４によって受信されると、この通報情報に基づいて、落書き行為の開始を検出した監視領域が通知手段５２によって通知される。よって、管理装置５は複数の落書き通報装置１を管理し、落書き行為の開始の検出に応じて落書き通報装置１から通報情報を受信すると、この落書き行為の開始を検出した監視領域を通知することから、この通知に応じて速やかに落書き行為を犯した犯人の取り締まり等を手配することが可能となり、警告することができるため、落書き防止に貢献することができる。また、管理装置５によって複数の落書き通報装置１を管理していることから、広範囲における落書き行為を取り締まることができるため、落書き行為が多発している地域に本落書き監視システムを導入することで、徹夜でパトロールを行う必要がなくなり、落書き行為が多発している地域関係者の負担を軽減することができる。
【００１７】
上記課題を解決するためになされた請求項５記載の発明は、図１の基本構成図に示すように、請求項４に記載の落書き監視システムにおいて、前記通知手段５２は、前記管理側受信手段５４が受信した前記通報情報の送信元を、前記落書き行為を音声により警告するための前記警告音声情報の送信先として識別が可能なように前記通知を行い、前記管理装置５の前記通知手段５２によって通知された前記送信先に、該通知に応じて発生した前記警告音声情報を送信する警告音声情報送信装置６をさらに備えることを特徴とする。
【００１８】
上記請求項５に記載した本発明の落書き監視システムによれば、管理装置５において、管理側受信手段５４によって通報情報が受信されると、この通知情報の送信元が警告音声情報の送信先として識別が可能なように通知手段５２によって通知される。そして、その通知に応じて発生した警告音声情報が、管理装置５によって通知された送信先に警告音声情報送信装置６によって送信される。よって、管理装置５は落書き通報装置１から通報情報を受信すると、警告音声情報の送信先の識別が可能なように落書き行為の開始を通知し、その送信先に通知に応じて発生した警告音声情報を送信する警告音声情報送信装置６を設けていることから、落書き行為の開始を検出した落書き通報装置１に速やかに警告音声情報を送信することができ、音声による警告によって落書き行為を速やかに止めさせることが期待できるため、より一層の落書き防止に貢献することができる。
【００１９】
上記課題を解決するためになされた請求項６記載の発明は、図１の基本構成図に示すように、請求項４又は５に記載の落書き監視システムにおいて、前記落書き通報装置１の送信手段１４ａはさらに、前記通報情報に関連付けられて前記画像情報記憶手段１２に記憶している前記画像情報を送信し、前記管理装置５の管理側受信手段５４はさらに、前記通報情報に関連付けられた前記画像情報を受信し、前記通知手段５２はさらに、前記管理側受信手段５４が受信した前記画像情報の視認が可能なように前記通知を行うことを特徴とする。
【００２０】
上記請求項６に記載した本発明の落書き監視システムによれば、落書き通報装置１において、画像情報記憶手段１２に記憶している画像情報は送信手段１４ａによって通報先に送信される。そして、管理装置５において、管理側受信手段５４によって画像情報が受信されると、この画像情報の視認が可能なように落書き行為の開始が通報手段５３によって通報される。よって、落書き通報装置１によって撮像した画像情報を管理装置５にて受信すると、管理装置５はその画像情報を通知することから、その画像情報に基づいて落書き行為を犯した犯人の取り締まり等を正確に手配することができるため、落書き防止に貢献することができる。また、通知された画像情報に基づいて、犯人の服装を指摘するなどの適切な警告音声情報を発生させることで、落書き行為を行っている犯人に対して遠隔地から音声による適切な警告を行うことができるため、落書き防止により一層貢献することができる。
【００２１】
【発明の実施の形態】
以下、本発明に係る落書き通報装置を用いた落書き監視システムの一実施の形態を、図２〜図６の図面を参照して説明する。
【００２２】
ここで、図２は本発明の落書き監視システムの概略構成の一例を示すシステム構成図であり、図３は図２の落書き通報装置の概略構成の一例を示す構成図であり、図４は図２の管理装置の概略構成の一例を示す構成図であり、図５は落書き通報装置の本発明に係る処理概要の一例を示すフローチャートであり、図６は管理装置の本発明に係る処理概要の一例を示すフローチャートである。
【００２３】
落書き監視システムは、図２に示すように、落書きを監視すべき壁やシャッターなどの落書き対象物２、若しくは、その近傍に設けられる落書き通報装置１と、複数の落書き通報装置１を管理する管理装置５と、落書き行為を音声により警告するための警告音声情報を落書き通報装置１に送信する警告音声情報送信装置６と、を備える。
【００２４】
落書き通報装置１と管理装置５と警告音声情報送信装置６との各々は、パケット通信網Ｐを介したデータの送受信が可能な構成となっている。なお、本実施の形態では、パケット通信網Ｐを介して無線通信を行う場合について説明するが、通信については有線による通信としても差し支えない。
【００２５】
落書き監視システムはさらに、落書き対象物２を所有する会員の連絡先に設けられた、例えばパーソナル・コンピュータ、携帯電話機、ＰＤＡ（Ｐｅｒｓｏｎａｌ  Ｄｉｇｉｔａｌ  Ａｓｓｉｓｔａｎｔｓ）等の端末装置６０を備える。そして、管理装置５０と端末装置６０とはインターネットＩに接続可能な構成となっており、インターネットＩを介したデータの送受信が可能な構成となっている。なお、管理装置５０と端末装置６０とは、上述したようにパケット通信網Ｐを介してデータの送受信を行うようにしても差し支えない。
【００２６】
落書き通報装置１は、落書き対象物２の周辺等を示す監視領域Ｅを監視することが可能で、監視領域Ｅに侵入する侵入者から視認されにくくなるように、例えば、落書き対象物２の上方等に設けている。そして、この落書き通報装置１は、図示しない電源部からの電力の供給によって動作しており、本実施の形態では、交流電源を用いているが、電池、太陽電池等を用いてもよい。
【００２７】
落書き通報装置１は、予め定められたプログラムに従って動作するマイクロコンピュータ（μＣＯＭ）１１を有する。μＣＯＭ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００２８】
また、μＣＯＭ１１には、装置本体がオフ状態の間も記憶内容の保持が可能な電気的消去／書き換え可能な読み出し専用のメモリ（ＥＥＰＲＯＭ）１２を接続しており、このＥＥＰＲＯＭ１２には、落書き通報装置１の識別が可能な装置識別情報、落書きの開始を検出したときに通報すべき通報先を示す通報先情報、監視する監視領域Ｅの識別を可能とする例えば位置、名称等を有する監視領域情報等の各種情報を記憶している。
【００２９】
落書き通報装置１はさらに、噴出検出部１３、通信部１４、警告部１５，撮像部１６、侵入検出部１７、リレー１８、照明部１９、カード挿入部２０等を備える構成となっている。
【００３０】
噴出検出部１３は、請求項中の噴出検出手段に相当し、監視領域Ｅにおける塗料の噴出を検出するために、カラーペイント（スプレー缶）のトルエンなどの溶剤や噴霧させるためのブタン系の加圧材を検出する接触式のガスセンサ１３ａと、コンプレッサを使用した塗装スプレーの噴出音を検出するマイクロホン１３ｂと、を有する。
【００３１】
なお、本実施の形態では、噴出検出部１３が、一組のガスセンサ１３ａとマイクロホン１３ｂを有する場合について説明するが、本発明はこれに限定するものではなく、監視領域Ｅが広範囲である場合は、その数を増加させて複数箇所に設置するなど種々異なる実施の形態とすることができる。
【００３２】
ガスセンサ１３ａは、周知のように、被検物質に感応する検知素子１３ａ１と、温度等周囲環境による測定値への影響を排除するための比較素子１３ａ２と、を有する。この検知素子１３ａ１は、抵抗線として機能する白金線の中央部にコイル形状部を形成し、このコイル形状部を、例えば、酸化アルミニウム粉体の担体にパラジウム等の適宜の酸化触媒を含有した粉体で覆って球状に形成している。この比較素子１３ａ２は、燃焼触媒を有しない他は検知素子１３ａ１と同様に構成されている。
【００３３】
そして、検知素子１３ａ１及び比較素子１３ａ２は通電により所定の温度（例えば、約４００℃など）に加熱された状態で、噴出された溶剤が検知素子１３ａ１に接触すると、触媒による接触燃焼反応が生じ、この反応により検知素子１３ａ１の温度が上昇して電気抵抗が大きくなり、接触燃焼反応を起こさない比較素子１３ａ２との抵抗バランスが崩れ、この抵抗バランスの崩れに応じてガスセンサ１３ａの抵抗ブリッジ回路から取り出される電圧の変化が生じ、その変化に基づいて被検物質の濃度の検出が可能となる。
【００３４】
噴出検出部１３はさらに、ガスセンサ１３ａの検知素子１３ａ１と比較素子１３ａ２に通電を行うセンサ駆動部１３ｃと、検知素子１３ａ１と比較素子１３ａ２との熱的バランスを示すセンサ出力を出力するセンサ出力部１３ｄと、を有する。センサ駆動部１３ｃとセンサ出力部１３ｄは、μＣＯＭ１１に接続しており、μＣＯＭ１１からの要求に応じて、センサ駆動部１３ｃはガスセンサ１３ａの駆動／停止を制御し、また、センサ出力部１３ｄが電圧の変化に応じてセンサ出力をμＣＯＭ１１に出力する。そして、μＣＯＭ１１にセンサ出力が入力されると、μＣＯＭ１１は待機モードから通常モードに復旧する。
【００３５】
マイクロホン１３ｂは、圧電型、静電型、ムービングコイル型などの種々のマイクロホンが用いられ、μＣＯＭ１１に接続している。そして、マイクロホン１３ｂは、受信した音を信号に変換してμＣＯＭ１１に出力する。そして、μＣＯＭ１１は、入力された信号の値と予めＲＯＭ１１ｂに記憶している判定閾値と比較し、入力された信号が噴出音であるか否かを判定する。
【００３６】
通信部１４は、請求項中の送信手段及び受信手段に相当し、例えば、デジタル携帯電話（ＰＤＣ＝ｐｅｒｓｏｎａｌ  ｄｉｇｉｔａｌ  ｃｅｌｌｕｌａｒ）や無線装置などを用いることができる。そして、通信部１４は、μＣＯＭ１１から入力される通報情報等を管理装置５０に無線にて送信すると共に、管理装置５０などから受信した各種情報をμＣＯＭ１１に出力する。
【００３７】
警告部１５は、請求項中の警告手段に相当し、μＣＯＭ１１から入力される警報音声情報を音声信号に変換して監視領域Ｅの侵入者に対して出力する音声出力回路を有するスピーカ等が用いられ、警告部１５から出力する音声によって警告音声情報に基づいた警告が行われる。
【００３８】
撮像部１６は、請求項中の撮像手段に相当し、ＣＣＤ（Ｃｈａｒｇｅ  Ｃｏｕｐｌｅｄ  Ｄｅｖｉｃｅ）カメラ、デジタルカメラ、ビデオカメラ等のカメラを用いることができる。そして、撮像部１６は、μＣＯＭ１１からの指示に応じて監視領域Ｅに侵入した侵入者を撮像し、その画像情報をμＣＯＭ１１に出力する。なお、撮像部１６は上述した構成に限定するものではなく、夜間の監視にも利用する場合は、赤外線カメラ等の夜間用カメラを構成に追加し、その赤外線の画像情報から塗料の噴出の検出するようにしてもよい。
【００３９】
侵入検出部１７は、請求項中の侵入検出手段に相当し、赤外線センサーを用いており、センサーが監視領域に侵入した移動体を検出すると、検出信号をリレー１８を介してμＣＯＭ１１に出力している。なお、侵入検出部１７としては、超音波センサーなどの他のセンサーを用いても差し支えない。
【００４０】
リレー１８は、侵入検出部１７とμＣＯＭ１１との間に介在し、このリレー１８には、照明ランプ等が用いられる照明部１９を接続している。そして、リレー１８は、侵入検出部１７から検出信号が入力されると、この検出信号をμＣＯＭ１１に出力すると共に、照明部１９への電力供給を開始させる。そして、照明部１９は、電力の供給に応じて監視領域Ｅを照明し、所定時間が経過すると照明を終了する。
【００４１】
カード挿入部２０は、画像情報記憶手段に相当するメモリーカード等のカード状記憶媒体（以下、カードと称する）Ｃに対し、ＣＰＵ１１ａから指定されたデータの書き込み、読み込みを行うもので、カードＣのカード挿入部１７に対する挿入は手動で行い、カードＣの排出は、排出キーの操作に応じてカード挿入部１７内の排出機構（図示せず）が自動で行う。また、カードＣは、侵入監視ユニット１０を関する各種データが記憶される管理エリアと画像情報が時系列的に記憶される画像エリアを有する。
【００４２】
なお、本実施の形態では、画像情報記憶手段をカードＣとした場合について説明するが、ＥＥＰＲＯＭ１２等の他の記憶媒体を画像情報記憶手段として機能させるようにしてもよい。
【００４３】
次に、警備会社、自治会等に設けられる管理装置５には、周知であるパーソナル・コンピュータを用いており、図４に示すように、予め定めたプログラムに従って装置全体の動作の制御などを行う中央演算処理装置（ＣＰＵ）５０ａを有している。このＣＰＵ５０ａには、バスＢを介してＣＰＵ５０ａのためのプログラム等を格納した読み出し専用のメモリであるＲＯＭ５０ｂ、ＣＰＵ５０ａの処理作業に必要な各種データを格納する作業エリア等を有する読み出し書き込み自在のメモリであるＲＡＭ５０ｃが接続されている。
【００４４】
ＣＰＵ５０ａにはさらに、記憶装置５０ｄがバスＢを介して接続されており、この記憶装置５０ｄにはハードディスク装置などを用いている。記憶装置５０ｄは、管理装置５０としてコンピュータを機能させるためのプログラムが格納されたプログラムファイルや、予め定められた会員が所有する落書き通報装置１の識別データと当該落書き通報装置１が検出した落書き行為の開始を通報する会員通報先データを有する会員情報データベース等の各種データベース等を記憶している。
【００４５】
ＣＰＵ５０ａにはさらに、入力装置インタフェース（Ｉ／Ｆ）５０ｅ、表示装置インタフェース（Ｉ／Ｆ）５０ｆ、リーダライタ・インタフェース（Ｉ／Ｆ）５０ｇ、無線装置インタフェース（Ｉ／Ｆ）５０ｈがバスＢを介して接続されている。
【００４６】
入力装置Ｉ／Ｆ５０ｅに、キーボードやマウスを有して構成する入力装置５１が接続されると、入力装置５１から入力された各種入力データは、バスＢに供給されてＣＰＵ５０ａに入力される。
【００４７】
表示装置Ｉ／Ｆ５０ｆには、ＣＲＴや液晶ディスプレイなどを用いて構成される表示装置５２が接続されている。そして、この表示装置Ｉ／Ｆ５０ｆは、表示装置５２の表示内容をＣＰＵ５０ａからの指示に基づいて制御するものである。
【００４８】
リーダライタＩ／Ｆ５０ｇには、カードＣの挿入／排出を行うスロットを有するリーダライタ５３が接続されている。そして、リーダライタ５３からリーダライタＩ／Ｆ５０ｇに入力されたカードＣの装着状態や読み出されたデータは、バスＢを介してＣＰＵ１１ａに入力される。また、ＣＰＵ１１ａからバスＢを介して、書き込むデータやカードｃの排出要求データなどの各種データがリーダライタＩ／Ｆ５０ｇに入力さると、これらのデータはリーダライタ５３に出力され留ことで、リーダライタ５３はデータの書き込み、カードＣの排出等を行う。
【００４９】
通信装置Ｉ／Ｆ５０ｈには、通信装置５４が接続されており、この通信装置５４としては携帯電話用モデム、ＬＡＮカード等の通信機器を用いている。そして、パケット通信網ＰまたはインターネットＩを介して、複数の侵入監視ユニット１０からの通知情報（メールなど）を受信するとともに、ＣＰＵ５０ａから入力される各種情報を侵入監視ユニット１０や端末装置６０に送信する。
【００５０】
警告音声情報送信装置６は、周知である携帯電話機等が用いられ、無線信号を受信するアンテナと、アンテナを介して受信した無線信号の復調その他必要な処理を行う無線部と、復調された無線信号を受信する制御等の携帯電話機の動作を制御し、制御用ＬＳＩ、ＣＰＵ等が用いられる制御部と、音波を電流の変化にかえるのに用いる送話器と、電子メールの内容その他のデータを表示する表示部と、使用者が種々のデータを入力する操作部と、を有する。
【００５１】
警告音声情報送信装置６は、所有者の操作部における操作に応じて発呼し、落書き通報装置１に接続されると、送話器によって音波が電流の変化に変換された情報が警告音声情報として落書き通報装置１に送信される。そして、落書き通報装置１は通信部１４を介して警告音声情報を受信すると、その警告音声情報を警告部１５から出力させることで、警告部１５は警告音声情報に基づいた警告を行う。
【００５２】
なお、警告音声情報送信装置６については、上述した構成に限定するものではなく、有線の電話機や上述した管理装置５で実現するようにしてもよい。また、管理装置５で実現する場合は、例えば、管理装置５の構成にマイクロホン等を追加し、マイクロホン等からの入力信号から警告音声情報を生成し、通信装置５４を介して落書き通報装置１に送信したり、警告音声情報を予め記憶装置５０ｄに記憶しておき、落書きが通報された際に、管理者等に送信すべき警告音声情報を選択させ、選択された警告音声情報を送信するなど種々異なる実施の形態とすることができる。
【００５３】
次に、上述した落書き通報装置１ＣＰＵ１１ａが実行する処理概要の一例を図５のフローチャートを参照して説明する。
【００５４】
落書き通報装置１は、会員が所有する落書き対象物２、若しくはその近傍に設置されて起動されると、ＣＰＵ１１ａはクロック数を低下させた待機モードへ移行する（ステップＳ１１）。そして、侵入検出部１７によって監視領域Ｅへの侵入者の侵入が検出されて検出信号がＣＰＵ１１ａに入力されると（ステップＳ１２）、ＣＰＵ１１ａは待機モードから通常のクロック数で動作する通常モードへ復旧し（ステップＳ１３）、監視領域Ｅへの侵入を検出してから落書き行為を監視すべき時間（任意の設定時間）である所定時間が経過するとタイムアウトするタイマをスタートさせる（ステップＳ１４）。
【００５５】
噴出検出部１３のマイクロホン１３ｂ若しくはセンサ出力部１３ｄからの少なくとも一方の入力に基づいて、監視領域Ｅでスプレー缶等から塗料が噴出されたことを検出したか否かが判定される（ステップＳ１５）。そして、噴出検出部１３からの入力がない、つまり、噴出を検出していないと判定されると（Ｓ１５でＮ）、次に、タイマがタイムアウトしたか否かが判定される。そして、タイムアウトしていないと判定された場合は（Ｓ１６でＮ）、タイマがタイムアウトするまで、噴出検出部１３による噴出の検出を待つ。また、タイムアウトしたと判定された場合は（Ｓ１６でＹ）、ステップＳ１１に戻り、ＣＰＵ１１ａは待機モードへ移行する。
【００５６】
また、噴出検出部１３からの入力がある、つまり、噴出を検出したと判定されると（Ｓ１５でＹ）、監視領域Ｅに侵入した侵入者の撮像が撮像部１６に指示され、この指示に応じて撮像部１６は撮像する（ステップＳ１７）。そして、撮像部１６にて撮像された画像情報がＲＡＭ１１ｃに取り込まれ、この画像情報はカードＣの所定エリアに時系列的に追加されるようにカード挿入部１７に出力されることで、カード挿入部１７は画像情報をカードＣに書き込み、カードＣに画像情報が記憶される（ステップＳ１８）。
【００５７】
図示しない時計ＩＣ等から日時情報が取得され、ＥＥＰＲＯＭ１２から前記装置識別情報、前記通報先情報、前記監視領域情報等が取得され、それらの情報に基づいて検出した監視領域Ｅの識別が可能なように落書き行為の開始を通報する通報情報が、カードＣに記憶した画像情報と関連付けてＲＡＭ１１ｃに生成される（ステップＳ１９：通報情報生成手段）。そして、生成された通報情報と該通信情報に関連付けられた画像情報が前記通報先情報の示す通報先を送信先として通信部１４に出力されると、通信部１４はその通報先に通報情報を送信する（ステップＳ２０）。
【００５８】
なお、通報情報の一例としては、落書き通報装置１の識別番号、落書き通報装置１を所有する会員を識別する会員識別番号、落書き行為の開始を検出した日時、落書き通報装置１の電話番号、対応する画像情報の格納先等を有して構成している。また、本実施の形態では、通報情報とその画像情報を同時に送信する場合について説明するが、画像情報については管理装置５からの送信要求に応じて送信するなど種々異なる実施の形態とすることができる。
【００５９】
通信部１４の接続状態の変化に基づいて、送信した通報情報に応じた警報音声情報を受信したか否かが判定される（ステップＳ２１）。そして、通信部１４が接続状態に変化していない場合は、警告音声情報を受信していないと判定され（Ｓ２１でＮ）、この判定処理を繰り返すことで、警告音声情報の受信を待つ。
【００６０】
一方、通信部１４が接続状態に変化すると、警告音声情報を受信したものと判定され（Ｓ２１でＹ）、通信部１４から入力された警告音声情報が、警告部１５に出力される。そして、警告部１５は、入力された警告音声情報を音声信号に変換して監視領域Ｅの侵入者に対して音声を出力する。そして、通信部１４が接続状態から切断状態に変化すると、警告が終了したものと判定され、ステップＳ１１に戻り、待機モードへ移行する（ステップＳ２２）。
【００６１】
よって、以上の説明からも明らかなように、落書き通報装置１のＣＰＵ１１ａが特許請求の範囲に記載の通報情報生成手段として機能している。
【００６２】
次に、上述した管理装置５のＣＰＵ５０ａが実行する処理概要の一例を図６のフローチャートを参照して説明する。
【００６３】
記憶装置５０ｄに記憶しているプログラムが実行されると、通報装置５４が通報情報を受信したか否かが判定される（ステップＳ５１）。通報情報を受信していないと判定された場合は（Ｓ５１でＮ）、この判定処理を繰り返すことで、通報情報の受信を待つ。一方、通報情報を受信したと判定された場合は（Ｓ５１でＹ）、通報情報に対応する会員情報が記憶装置５０ｄに記憶している前記会員情報データベースからＲＡＭ５０ｃに抽出される（ステップＳ５２）。
【００６４】
ＲＡＭ１１ｃの会員情報の会員通報先データが示す会員通報先に、受信した通報情報を送信するように通報情報が通信装置５４に出力されることで、通報情報が会員が指定した会員通報先に転送される（ステップＳ５３）。そして、その通知情報とその関連付けられた画像情報が表示装置５２に出力されることで、表示装置５３は通知情報と画像情報を表示する（ステップＳ５４）。
【００６５】
表示内容の確認、会員への通知、監視領域Ｅにおける侵入者への警告等の完了を示す完了情報の入力装置５１からの入力の有無に基づいて、完了したか否かが判定される（ステップＳ５５）。完了していないと判定された場合は（Ｓ５５でＮ）、この判定処理を繰り返すことで、完了を待つ。一方、完了したと判定された場合は（Ｓ５５でＹ）、ステップＳ５１に戻り、一連の処理が繰り返される。
【００６６】
次に、上述した落書き監視システムにおける動作（作用）の一例を説明する。
落書き監視に関する契約が結ばれた会員が所有する落書き対象物２に落書き通報装置１が設置されると、落書き通報装置１はその監視領域Ｅへの侵入者の侵入を監視する。そして、侵入検出部１７によって侵入を検出した後に、噴出検出部１３が塗料の噴出を検出すると、落書き行為の開始を通報する通報情報を生成し、この通報情報は予め定められた通報先である管理装置５に送信される。
【００６７】
管理装置５は、通報情報とその関連付けられた画像情報を受信すると、その通報情報に対応する会員情報を前記会員情報データベースから抽出し、その会員情報が示す会員通報先に通報情報及び画像情報を転送することで、会員の端末装置７は受信した通知情報及び画像情報に基づいた通知を行う。よって、この通知によって会員は落書き行為の開始とその犯人等を認識することができる。
【００６８】
また、管理装置５は、受信した通報情報と画像情報を表示装置５４に表示し、その表示内容を管理者等が確認すると、その表示で示された送信先である落書き通報装置１に管理者等は警告音声情報送信装置６で電話を掛ける。そして、管理者等が犯人の服装、容姿等を指摘して落書きを止めさせるための警告音声を発すると、警告音声情報送信装置６はその音声を警告音声情報として落書き通報装置１に送信する。そして、落書き通報装置１は、受信した警告音声情報を警告部１５から出力させることで、警告部１５は警告音声情報に基づいた警告を行う。
【００６９】
以上説明したように、落書き通報装置１は、落書き行為を監視する監視領域Ｅへの侵入者の侵入を検出し、この侵入検出後に塗料の噴出を検出した際に、落書き行為が開始されたものと判定するので、落書き行為の開始を正確に検出することができる。そして、落書き行為の開始を検出すると、通報情報を通報先の管理装置５に送信することから、警備会社、自治会等の通報先では通報情報に基づいて速やかに落書き行為を犯した犯人の取り締まり、警察への通報等を行うことができるため、落書き防止に貢献することができる。従って、落書き通報装置１からの通報に応じて適切な対処を行うことができるため、徹夜でパトロールを行う必要がなくなり、落書き行為が多発している地域関係者の負担を軽減することができる。
【００７０】
また、落書き通報装置１は、送信した通報情報に対応して発生した警告音声情報を受信し、この警告音声情報に基づいて音声による警告を監視領域Ｅに侵入した侵入者に対して行うことができるため、落書き行為を速やかに止めさせることが期待でき、より一層の落書き防止に貢献することができる。
【００７１】
さらに、落書き通報装置１は、監視領域Ｅに侵入者が侵入したことを検出し、塗料の噴出を検出すると、その侵入者を撮像した画像情報をカードＣに記憶するので、その画像情報を落書き行為の証拠に用いたり、犯人の捜索に用いることができることから、落書き防止の抑止力となり、より一層の落書き防止に貢献することができる。
【００７２】
一方、管理装置５は複数の落書き通報装置１を管理し、落書き行為の開始の検出に応じて落書き通報装置１から通報情報を受信すると、この落書き行為の開始を検出した監視領域Ｅを通知することから、この通知に応じて速やかに落書き行為を犯した犯人の取り締まり等を手配することが可能となり、警告することができるため、落書き防止に貢献することができる。また、管理装置５によって複数の落書き通報装置１を管理していることから、広範囲における落書き行為を取り締まることができるため、落書き行為が多発している地域に本落書き監視システムを導入することで、徹夜でパトロールを行う必要がなくなり、落書き行為が多発している地域関係者の負担を軽減することができる。
【００７３】
また、管理装置５は落書き通報装置１から通報情報を受信すると、警告音声情報の送信先の識別が可能なように落書き行為の開始を通知し、その送信先に通知に応じて発生した警告音声情報を送信する警告音声情報送信装置６を設けていることから、落書き行為の開始を検出した落書き通報装置１に速やかに警告音声情報を送信することができ、音声による警告によって落書き行為を速やかに止めさせることが期待できるため、より一層の落書き防止に貢献することができる。
【００７４】
さらに、落書き通報装置１によって撮像した画像情報を管理装置５にて受信すると、管理装置５はその画像情報を通知することから、その画像情報に基づいて落書き行為を犯した犯人の取り締まり等を正確に手配することができるため、落書き防止に貢献することができる。また、通知された画像情報に基づいて、犯人の服装を指摘するなどの適切な警告音声情報を発生させることで、落書き行為を行っている犯人に対して遠隔地から音声による適切な警告を行うことができるため、落書き防止により一層貢献することができる。
【００７５】
なお、上述した本実施の形態では、管理装置５を警備会社、自治会等に設ける場合について説明したが、本発明はこれに限定するものではなく、会員の端末装置７で管理装置を実現するなど、本落書き監視システムは種々異なる実施の形態とすることができる。
【００７６】
また、上述した本実施の形態では、監視領域Ｅへの侵入者の侵入を検出し、この侵入検出後に塗料の噴出を検出した際に、落書き行為が開始されたものと判定し、撮像部１６でその侵入者を撮像する場合について説明したが、撮像部１６の撮像タイミングについては、監視領域Ｅへの侵入者の侵入を検出した直後に撮像して塗料等の噴出を検出したり、侵入検出した後に撮像処理と噴出検出処理を同時に行うなど種々異なる実施の形態とすることができる。
【００７７】
例えば、侵入者から視認されにくい場所に撮像部１６を設置することができない場合、侵入者は最初に撮像部１６のレンズに向けて塗料を噴出させ、撮像されないようにする可能性がある。しかし、侵入者が監視領域に侵入したことを検出した時点で撮像すれば、撮像部１６のレンズがスプレー等で汚される前に画像情報を記憶することができるため、せっかく撮像してもレンズが汚れて犯人の特定ができないというケースの発生を防止することができる。よって、画像情報を落書き行為の証拠として確実に残すことができることから、その画像情報から犯人の特定を確実に特定することができる。
【００７８】
【発明の効果】
以上説明したように請求項１に記載した本発明の落書き通報装置によれば、落書き行為を監視する監視領域への侵入者の侵入を検出し、この侵入検出後に塗料の噴出を検出した際に、落書き行為が開始されたものと判定するので、落書き行為の開始を正確に検出することができる。そして、落書き行為の開始を検出すると、通報情報を通報先に送信することから、通報先では通報情報に基づいて速やかに落書き行為を犯した犯人の取り締まり、警察への通報等を行うことができるため、落書き防止に貢献することができる。従って、落書き通報装置からの通報に応じて適切な対処を行うことができるため、徹夜でパトロールを行う必要がなくなり、落書き行為が多発している地域関係者の負担を軽減することができる。
【００７９】
請求項２に記載の発明によれば、請求項１に記載の発明の効果に加え、送信した通報情報に対応して発生した警告音声情報を受信し、この警告音声情報に基づいて音声による警告を監視領域に侵入した侵入者に対して行うことができるため、落書き行為を速やかに止めさせることが期待でき、より一層の落書き防止に貢献することができる。
【００８０】
請求項３に記載の発明によれば、請求項１又は２に記載の発明の効果に加え、侵入者が監視領域に侵入したことを検出する、若しくは、監視領域に侵入した侵入者が塗料を噴出したことを検出すると、その侵入者を撮像した画像情報を記憶するので、その画像情報を落書き行為の証拠に用いたり、犯人の捜索に用いることができることから、落書き防止の抑止力となり、より一層の落書き防止に貢献することができる。特に、侵入者が監視領域に侵入したことを検出した時点で撮像すれば、撮像手段のレンズがスプレー等で汚される前に画像情報を記憶することができるため、画像情報を落書き行為の証拠として確実に残すことができることから、その画像情報から犯人の特定を確実に特定することができる。
【００８１】
以上説明したように請求項４に記載した本発明の落書き監視システムによれば、管理装置は複数の落書き通報装置１を管理し、落書き行為の開始の検出に応じて落書き通報装置から通報情報を受信すると、この落書き行為の開始を検出した監視領域を通知することから、この通知に応じて速やかに落書き行為を犯した犯人の取り締まり等を手配することが可能となり、警告することができるため、落書き防止に貢献することができる。また、管理装置によって複数の落書き通報装置を管理していることから、広範囲における落書き行為を取り締まることができるため、落書き行為が多発している地域に本落書き監視システムを導入することで、徹夜でパトロールを行う必要がなくなり、落書き行為が多発している地域関係者の負担を軽減することができる。
【００８２】
請求項５に記載の発明によれば、請求項４に記載の発明の効果に加え、管理装置は落書き通報装置から通報情報を受信すると、警告音声情報の送信先の識別が可能なように落書き行為の開始を通知し、その送信先に通知に応じて発生した警告音声情報を送信する警告音声情報送信装置を設けていることから、落書き行為の開始を検出した落書き通報装置に速やかに警告音声情報を送信することができ、音声による警告によって落書き行為を速やかに止めさせることが期待できるため、より一層の落書き防止に貢献することができる。
【００８３】
請求項６に記載の発明によれば、請求項４又は５に記載の発明の効果に加え、落書き通報装置によって撮像した画像情報を管理装置にて受信すると、管理装置はその画像情報を通知することから、その画像情報に基づいて落書き行為を犯した犯人の取り締まり等を正確に手配することができるため、落書き防止に貢献することができる。また、通知された画像情報に基づいて、犯人の服装を指摘するなどの適切な警告音声情報を発生させることで、落書き行為を行っている犯人に対して遠隔地から音声による適切な警告を行うことができるため、落書き防止により一層貢献することができる。
【図面の簡単な説明】
【図１】本発明の落書き通報装置及び落書き監視システムの基本構成を示す図である。
【図２】本発明の落書き監視システムの概略構成の一例を示すシステム構成図である。
【図３】図２の落書き通報装置の概略構成の一例を示す構成図である。
【図４】図２の管理装置の概略構成の一例を示す構成図である。
【図５】落書き通報装置の本発明に係る処理概要の一例を示すフローチャートである。
【図６】管理装置の本発明に係る処理概要の一例を示すフローチャートである。
【符号の説明】
１            落書き通報装置
５            管理装置
６            警告音声情報送信装置
１１ａ        通報情報生成手段（落書き通報装置のＣＰＵ）
１２          画像情報記憶手段（カード）
１３          噴出検出手段（噴出検出部）
１４ａ        送信手段（通信部）
１４ｂ        受信手段（通信部）
１５          警告手段（警告部）
１６          撮像手段（撮像部）
１７          侵入検出手段（侵入検出部）
５２          通知手段（表示装置）
５４          管理側受信手段（通信装置）
【図１】
2005011006.tif 000003
【図２】
2005011006.tif 000004
【図３】
2005011006.tif 000005
【図４】
2005011006.tif 000006
【図５】
2005011006.tif 000007
【図６】
2005011006.tif 000008